(57)【要約】【課題】  入居者が到達した部屋が自室であるか否かを把握できるようにすると共に、その部屋が自室ではない場合に、入居者が自室に戻れるようにすることを目的とする。【解決手段】  無線式識別装置８から入居者識別情報を受信した部屋の部屋識別情報と入居者識別情報とが同じ部屋のものである場合に、自室であることを示すメッセージを出力し、部屋識別情報と入居者識別情報とが同じ部屋のものではない場合に、入居者の部屋の番号を示すメッセージを出力するので、部屋に近付いた場合に、入居者は、その部屋が自室であるか否かを把握することができ、その部屋が自室ではない場合には、自室の部屋番号を把握することができる。また、入居者が自室の部屋番号を覚えていない場合でも、施設内の何れかの部屋に接近することで、自室の部屋番号が提示されるので、自室の部屋番号を把握することができる。【選択図】        図１
2007148769.tif 000002
【特許請求の範囲】
【請求項１】
入居者が所持する無線式識別装置から送信される入居者識別情報を受信する無線装置と、
前記入居者識別情報と前記入居者識別情報により特定される入居者の部屋を識別する部屋識別情報とを関連付けて記憶する入居者データベースと、
前記無線装置が前記入居者識別情報を受信した場合に、前記無線装置を設置した部屋の部屋識別情報と受信した入居者識別情報とが一致するか否かを前記入居者データベースにより調べる入居者判定部と、
前記部屋識別情報と前記入居者識別情報とが一致すると前記入居者判定部が判断した場合に、自室であることを提示し、前記部屋識別情報と前記入居者識別情報とが一致しないと前記入居者判定部が判断した場合に、前記部屋識別情報を提示する前記部屋に設置された提示部と、
を備えた案内システム。
【発明の詳細な説明】
【技術分野】
【０００１】
本発明は、病院や福祉施設などの施設で患者や被介護者などの入居者を案内する案内システムに関する。
【背景技術】
【０００２】
従来、病院の入院患者（以下、入居者と記載する）は、健康上の理由や治療上の理由などが無い限り、自分の病室を離れて院内を移動することができる。また、福祉施設や高齢者用マンションなどの施設でも、特に理由が無い限り、入居者は、自分の部屋（以下、自室と記載する）を出ることができる。このような施設では、個人情報保護の観点などから、部屋の表札（病院の場合には、廊下灯に該当する）に入居者の氏名を表示させないようにすることがある。このような場合には、入居者は、自室の部屋番号を覚えることで自室に戻ることができる。
【０００３】
しかしながら、入居者が自室の部屋番号を忘れてしまったり、もともと覚えていなかったりすると、入居者は、自室に戻ることができなくなってしまうという問題点があった。また、入居者が自分の勘や記憶などにより自室と思われる部屋に到達した場合に、入居者が自室の部屋番号を忘れてしまったり、覚えていなかったりすると、入居者は、その部屋が自室であるか否かを把握することができないという問題点があった。
【０００４】
ところで、病院内の複数の科を受信して回る患者に対して、それぞれの科へ行き方を案内する技術が知られている（例えば、特許文献１など）。
【特許文献１】特開２００４−３０２９５７号公報
【０００５】
しかしながら、この特許文献１に記載の技術では、患者が行こうとする科への行き方が案内されるだけなので、患者は、自分が実際にその科へ行けたか否かを把握することができず、不安になってしまうという問題点があった。
【発明の開示】
【発明が解決しようとする課題】
【０００６】
本発明は、このような問題を解決するために成されたものであり、入居者が自分の勘や記憶などにより自室と思われる部屋に到達した場合に、その部屋が自室であるか否かを入居者が把握できるようにすると共に、その部屋が自室ではない場合に、入居者が自室に戻れるようにすることを目的とする。また、入居者が自室の部屋番号を忘れてしまったり、覚えていなかったりした場合でも、入居者が自室に戻れるようにすることを目的とする。
【課題を解決するための手段】
【０００７】
上述した課題を解決するために、本発明では、入居者を識別する無線式の識別装置を入居者に持たせると共に、施設内の各部屋の入口近傍に無線式識別装置から入居者識別情報を受信する無線装置を設置し、無線式識別装置から受信した入居者識別情報と無線装置を設置した部屋識別情報とを対応付けて記憶する管理装置は、入居者が接近した部屋が入居者の部屋であると判断した場合には、その部屋が自室であることを提示して、入居者が接近した部屋が入居者の部屋でないと判断した場合には、その入居者の部屋番号を提示するようにしている。
【発明の効果】
【０００８】
上記のように構成した本発明によれば、入居者が接近した部屋が自室である場合には、その部屋が自室であることが提示されると共に、入居者が接近した部屋が自室ではない場合には、自室の部屋番号が提示されるので、入居者が自分の勘や記憶などにより自室と思われる部屋に到達した場合に、入居者は、その部屋が自室であるか否かを把握することができると共に、その部屋が自室ではない場合には、自室の部屋番号を把握することができる。また、入居者が自室の部屋番号を忘れてしまったり、覚えていなかったりした場合でも、施設内の何れかの部屋に接近することで、自室の部屋番号が提示されるので、入居者は自室の部屋番号を把握することができる。従って、入居者は、自室に戻ることができる。
【発明を実施するための最良の形態】
【０００９】
以下、本発明の一実施形態を図面に基づいて説明する。図１は、本実施形態による案内システムの構成例を示すブロック図である。図１に示すように、本実施形態による案内システムは、管理装置１、無線装置６，７、無線式識別装置８を備えて構成されている。
【００１０】
管理装置１は、管理装置用制御部２（特許請求の範囲の入居者判定部に該当する）、管理装置用データ送受信部３、入居者データベース４、メッセージ記憶部５を備えて構成されている。また、無線装置６，７は、図２に示すように、無線装置用制御部１１、識別情報読み取り部１２、各部屋用データ送受信部１３、スピーカ１４（特許請求の範囲の提示部に該当する）を備えて構成されている。また、無線式識別装置８は、無線タグなどにより構成されており、無線式識別装置８を所持する入居者を識別する入居者識別情報を送信している。
【００１１】
ここで、無線タグとは、物体の識別に利用される微小な無線ＩＣ（Integrated
Circuit）チップである。無線ＩＣチップには、自身の識別コードなどの情報が記録されており、電波を使って無線装置６，７と情報を送受信する能力をもつ。無線タグは、数ｃｍ程度の大きさで、電波や電磁波で無線装置６，７に設けた読み取り器（図示せず）と交信する。また、無線タグの中には、アンテナ側からの非接触電力伝送技術により、電池を持たない半永久的に利用可能なものもある。また、無線タグの形状は、ペンダント型、ラベル型、カード型、コイン型、スティック型など様々であり、用途に応じて選択する。また、無線タグの通信距離は、入居者が部屋の前に立ったときに通信できる距離、且つ、入居者が部屋を通り過ぎるときに通信しない距離であることが好ましく、例えば、５０ｃｍ程度以内であることが好ましい。なお、通信距離を数ｃｍ程度とし、入居者が意図的に無線タグを読み取り器に近づけるようにしても良い。
【００１２】
また、入居者が自然に持ち歩けるように、無線タグが組み込まれた鍵や無線タグが組み込まれた名札などを無線式識別装置８としても良い。
【００１３】
図１において、管理装置１は、施設内の管理者が在室する管理人室などに設置されており、伝送線を介して無線装置６，７に接続されている。無線装置は、各部屋毎に設けられており、無線装置６は、３０１号室の玄関（又は出入口）近傍の外側の壁面などに取り付けられている。また、無線装置７は、２０１号室の玄関（又は出入口）近傍の外側の壁面などに取り付けられている。ここで、無線装置６，７は、管理装置１に対して識別可能に接続されている。
【００１４】
管理装置用制御部２は、管理装置１の各構成要素を後述するように制御する。管理装置用データ送受信部３は、無線式識別装置８から入居者識別情報を受信した無線装置６より受信した入居者識別情報と無線装置６を設置した部屋を識別する部屋識別情報とを受信する。また、管理装置用データ送受信部３は、メッセージ記憶部５から読み出されたメッセージ情報を入居者識別情報を受信した無線装置６に送信する。
【００１５】
入居者データベースは、施設内の入居者を識別する入居者識別情報と、入居者識別情報により特定される入居者が入居している部屋を識別する部屋識別情報とを関連付けて記憶している。ここで、部屋識別情報は、部屋の番号などである。
【００１６】
メッセージ記憶部５は、無線式識別装置８を所持している入居者が自室の近傍に居ることを示すメッセージ情報を音声データとして記憶している。また、メッセージ記憶部５は、無線式識別装置８を所持している入居者が入居している部屋の部屋識別情報（部屋の番号など）を含むメッセージ情報を音声データとして記憶している。
【００１７】
無線装置６又は無線装置７は、図２に示すように構成されている。図２において、無線装置用制御部１１は、無線装置６，７の各構成要素を後述するように制御する。識別情報読み取り部１２は、所定の距離内（例えば５０ｃｍなど）に近付いた無線式識別装置８から入居者識別情報を読み取る。
【００１８】
各部屋用データ送受信部１３は、識別情報読み取り部１２が読み取った入居者識別情報と各部屋の部屋識別情報とを管理装置１に送信する。また、各部屋用データ送受信部１３は、管理装置１からメッセージ情報を受信する。スピーカ１４は、各部屋用データ送受信部１３が受信したメッセージ情報に基づいてメッセージの音声を出力する。
【００１９】
例えば、３０１号室の入居者が３０１号室に近付いた場合には、以下のような動作が行われる。３０１号室に設置された無線装置６の識別情報読み取り部１２は、無線式識別装置８から入居者識別情報を読み取る。無線装置用制御部１１は、３０１号室の入居者の入居者識別情報と３０１号室の部屋識別情報とを各部屋用データ送受信部１３により管理装置１に送信する。
【００２０】
管理装置用データ送受信部３は、無線装置６から入居者識別情報と部屋識別情報とを受信する。管理装置用制御部２は、管理装置用データ送受信部３が受信した入居者識別情報と部屋識別情報とが一致するか否かを入居者データベース４により判定する。入居者データベース４には、入居者識別情報により特定される入居者が３０１号室の入居者であり、部屋識別情報により特定される部屋が３０１号室であること、換言すると、入居者識別情報と部屋識別情報とは、両者が一致すると関連付けられて入居者データベース４に記憶されている。
【００２１】
管理装置用制御部２は、両者が一致すると判断し、入居者が自室の近傍に居ることを示すメッセージ情報をメッセージ記憶部５より読み出す。また、管理装置用制御部２は、管理装置用データ送受信部３により、読み出したメッセージ情報を無線装置６に送信する。
【００２２】
無線装置６の各部屋用データ送受信部１３は、メッセージ情報を管理装置１から受信する。無線装置用制御部１１は、入居者が自室の近傍に居ることを示すメッセージ（例えば、「○○様、おかえりなさい」など）をスピーカ１４から出力する。
【００２３】
一方、３０１号室の入居者が２０１号室などの自室以外の部屋に近付いた場合には、以下のような動作が行われる。２０１号室に設置された無線装置７の識別情報読み取り部１２は、無線式識別装置８から入居者識別情報を読み取る。無線装置用制御部１１は、３０１号室の入居者の入居者識別情報と２０１号室の部屋識別情報とを各部屋用データ送受信部１３により管理装置１に送信する。
【００２４】
管理装置用データ送受信部３は、無線装置７から入居者識別情報と部屋識別情報とを受信する。管理装置用制御部２は、管理装置用データ送受信部３が受信した入居者識別情報と部屋識別情報とが一致するか否かを入居者データベース４により判定する。入居者識別情報により特定される入居者が３０１号室の入居者であり、部屋識別情報により特定される部屋が２０１号室であることから、管理装置用制御部２は、両者が一致しないと判断する。また、管理装置用制御部２は、入居者識別情報に関連付けられている部屋識別情報を入居者データベース４から抽出することで、入居者識別情報により特定される入居者の部屋を特定する。
【００２５】
そして、管理装置用制御部２は、入居者が入居している部屋の番号（ここでは、３０１号室）を含み、入居者が近付いた部屋が入居者の自室ではないことを示すメッセージ情報をメッセージ記憶部５より読み出す。また、管理装置用制御部２は、管理装置用データ送受信部３により、読み出したメッセージ情報を無線装置７に送信する。
【００２６】
無線装置７の各部屋用データ送受信部１３は、メッセージ情報を管理装置１から受信する。無線装置用制御部１１は、入居者が入居している部屋の部屋の番号を示すメッセージ（例えば、「○○様のお部屋は３０１号室です」など）をスピーカ１４から出力する。これにより、入居者は、自分が近付いた部屋が自室ではないことを把握すると共に、自室の部屋番号を確認することができる。
【００２７】
以上詳しく説明したように、本実施形態によれば、無線式識別装置８から入居者識別情報を受信した部屋の部屋識別情報と入居者識別情報とが同じ部屋のものであると管理装置用制御部２が判断した場合には、自室であることを示すメッセージがスピーカ１４より出力され、部屋識別情報と入居者識別情報とが同じ部屋のものではないと管理装置用制御部２が判断した場合には、無線式識別装置８を所持する入居者の部屋の番号を示すメッセージがスピーカ１４より出力される。これにより、入居者が自分の勘や記憶などにより自室と思われる部屋に近付いた場合に、入居者は、その部屋が自室であるか否かを把握することができると共に、その部屋が自室ではない場合には、自室の部屋番号を把握することができる。また、入居者が自室の部屋番号を忘れてしまったり、覚えていなかったりした場合でも、施設内の何れかの部屋に接近することで、自室の部屋番号が提示されるので、入居者は自室の部屋番号を把握することができる。従って、入居者は、自室に戻ることができる。
【００２８】
なお、前述した実施形態では、メッセージ記憶部５に記憶されるメッセージ情報が音声であり、スピーカ１４からメッセージを音声で出力しているが、これに限定されない。例えば、メッセージ記憶部５がメッセージ情報を文字や画像により記憶し、ディスプレイなどにメッセージを表示するようにしても良い。
【００２９】
また、前述した実施形態では、入居者識別情報と部屋識別情報とを判定する管理装置用制御部２、入居者識別情報と部屋識別情報とを関連付けて記憶する入居者データベース４、メッセージ情報を記憶するメッセージ記憶部５を管理装置１に設けているが、これに限定されない。例えば、図３に示すように、入居者識別情報と部屋識別情報とを判定する無線装置用制御部２１、入居者識別情報と部屋識別情報とを関連付けて記憶する入居者データベース２２、メッセージ情報を記憶するメッセージ記憶部２３を各部屋に設置された無線装置６，７に設けるようにしても良い。
【００３０】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００３１】
本発明は、病院や福祉施設などの施設で患者や被介護者などの入居者を案内する案内システムなどに有用である。
【図面の簡単な説明】
【００３２】
【図１】本実施形態による案内システムの構成例を示すブロック図である。
【図２】本実施形態の案内システムによる無線装置の構成例を示すブロック図である。
【図３】本実施形態による案内システムの変形例を示すブロック図である。
【符号の説明】
【００３３】
１    管理装置
２    管理装置用制御部
３    管理装置用データ送受信部
４，２２    入居者データベース
５，２３    メッセージ記憶部
６，７    無線装置
８    無線式識別装置
１１，２１    無線装置用制御部
１２    識別情報読み取り部
１３    各部屋用データ送受信部
１４    スピーカ
【図１】
2007148769.tif 000003
【図２】
2007148769.tif 000004
【図３】
2007148769.tif 000005